(57)【特許請求の範囲】
【請求項１】
空気調和機内の熱交換器の表面に紫外線を照射可能な紫外線照射装置であって、
前記紫外線照射装置は前記熱交換器の風向一次側又は風向二次側或いは両側に設置され、
前記紫外線照射装置は、開口部を備えた筐体と、前記筐体内に配置されかつ前記開口部から紫外線を前記熱交換器の前記表面に向けて照射可能な紫外線ランプと、を備え、
前記紫外線ランプは、紫外線照射強度の劣化に応じて、該紫外線ランプと前記熱交換器との距離を縮めるよう移動可能である、
ことを特徴とする紫外線照射装置。
【請求項２】
前記紫外線ランプの背面、上面又は下面には反射板がさらに形成される、
ことを特徴とする請求項１に記載の紫外線照射装置。
【請求項３】
前記背面に形成された前記反射板は、前記紫外線ランプに対して凹凸形状を成す、
ことを特徴とする請求項２に記載の紫外線照射装置。
【請求項４】
前記開口部を区画する前記筐体の端部側には、流体抵抗低減用のバッフル板がさらに形成され、かつ、前記バッフル板は前記開口部の開口面積を徐々に縮小するように前記開口部の先端に向かって窄まった形状を成す、
ことを特徴とする請求項１〜３のいずれかに記載の紫外線照射装置。
【請求項５】
前記筐体には、前記開口部が設置された一端と逆の他端に流体抵抗低減用のフェアリングカバーがさらに形成される、
ことを特徴とする請求項１〜４のいずれかに記載の紫外線照射装置。
【請求項６】
請求項１〜５のいずれかに記載の紫外線照射装置を用いて空気調和機内の熱交換器に紫外線を照射して該熱交換器を清掃するための清掃方法であって、
前記紫外線照射装置へ設置する前記紫外線ランプと同型の製品を用いて、前記紫外線ランプの使用時間と、前記熱交換器の表面での照射強度との関係式Ｆ１を導出する工程と、
前記紫外線ランプと前記熱交換器の表面との間の距離と、前記表面での紫外線照射強度との関係式Ｆ２を導出する工程と、
前記関係式Ｆ１，Ｆ２から、前記熱交換器の前記表面での紫外線照射強度を一定に保つため、前記使用時間と、前記紫外線ランプの移動位置との関係式Ｆ３を導出する工程と、
前記熱交換器の一次側又は二次側或いは両側に前記紫外線照射装置を設置し、前記紫外線ランプを、前記関係式Ｆ３で得られた初期位置Ｘ（ｔ＝０）に固定する工程と、
前記紫外線ランプを発光させ、前記熱交換器の前記表面へ紫外線を照射する工程と、
前記紫外線照射装置の前記使用時間が所定時間ｔの経過したときに、この時間ｔに対応した分、前記紫外線ランプを前記熱交換器側に近づくように移動し、前記関係式Ｆ３から得られた前記紫外線ランプの設置位置Ｘ（ｔ）にて移動・固定する工程と、
を含むことを特徴とする清掃方法。
【発明の詳細な説明】
【技術分野】
【０００１】
本発明は、空気調和機内の熱交換器用の紫外線照射装置及びこれを用いた清掃方法に関するものである。
【背景技術】
【０００２】
病院や学校などの大型施設には、空気調和機と呼ばれる設備が設置される。この空気調和機は、病室等の各居住空間から空気を回収して加温又は冷却し、この温度調整された空気を各居住空間へ送出するため、施設内の空調設備における中央管理ユニット（一極熱制御ユニット）として機能する。
【０００３】
空気調和機内には熱交換器が設けられ、この熱交換器は、通常、冷水又は温水が通過するチューブ（冷媒管）と、チューブ外周に設けられたフィンとで構成される。この熱交換器には各居住空間から空気が大量に送り込まれるため、空気調和機の使用を継続していると、熱交換器周囲には多量の塵埃が付着する。
【０００４】
（問題１．塵埃付着による熱交換器での雑菌の発生・繁殖）
これらの塵埃は、コイル周囲の湿気を含むことにより、雑菌の発生・繁殖の温床となる。これらの雑菌は、悪臭を生み出すだけでなく、空気や塵埃とともに空気調和機から各居住空間へ移動するため、このような雑菌は院内集団感染の一因と考えられており、雑菌や臭気の除去・抑制を含めた空気環境対策は切実な課題である。
【０００５】
（問題２．塵埃付着による熱交換器での流体の圧力損失の増加）
また、各居住空間から回収され、流路の狭い熱交換器を流れる気体の流速は大きい。この熱交換器への塵埃の付着量が多くなると、熱交換器の流路の一部又は全部が目詰まりを起こし、熱交換器周りの流路の圧力損失が増加してしまう。
【０００６】
なお、雑菌を除去するために、紫外線をコイル面に照射することにより、雑菌等の繁殖を抑制できることが既に提案されている（例えば、特許文献１〜５を参照）。
【０００７】
（問題３．継続使用による紫外線ランプの強度低下）
しかしながら、紫外線ランプは、継続的な使用により、熱交換器へ照射される紫外線強度は大幅に劣化することが判っている。このため、紫外線ランプを備えた紫外線照射装置は、その継続使用により、雑菌の不活化や塵埃の分解が期待どおりに行えなくなることが懸念される。したがって、紫外線ランプの使用時間に応じた紫外線の強度低下を見越したうえで、紫外線照射装置の所期の目的が達成されるように措置しておくことが望まれる。
【０００８】
（問題４．紫外線照射装置の設置（追加）による流体抵抗及び圧力損失の増加）
上述した問題２は、熱交換器に隣接して上記紫外線照射装置を設置することで解決することができる。しかしながら、有形の紫外線照射装置の追加設置によって熱交換器周辺の流路の圧力損失が増加してしまったら、これによって上記問題２を解決した意味が無い。従って、圧力損失が極力増加しないように、紫外線照射装置を設計し、空気調和機内へ設置する必要がある。
【０００９】
（問題５．紫外線照射装置の設置位置への制約）
また、本発明の紫外線照射装置を、既存の空気調和機へ組み込むことを想定する。各現場（病院等の各施設）においては、空気調和機の仕様・構造や熱交換器の据付状態等は種々異なっていることが多い。これにより、現場毎に紫外線照射装置の追設位置に異なる制約が生じる。例えば、現場での据付上の制約から、熱交換器に対して風上側（一次側）ではなく、風下側（二次側）の方に紫外線照射装置を追設せねばならない場合もあり得る。従って、どちらの側に紫外線照射装置が置かれた場合でも、組み込み後の熱交換器の流路全体の圧力損失を増加させないことも望まれる。
【先行技術文献】
【特許文献】
【００１０】
【特許文献１】特開平０８−０３８８４４号公報
【特許文献２】特開２００４−１０８６８５号公報
【特許文献３】実開昭６２−０６０８０９号公報
【特許文献４】特開平０４−３１６９３７号公報
【特許文献５】特開２００１−３２４１９５号公報
【発明の概要】
【発明が解決しようとする課題】
【００１１】
（本発明の目的）
本発明は、このような事情に鑑みてなされたものであり、空気調和機内の熱交換器へ紫外線を照射することにより、臭気・塵埃の除去及び雑菌の繁殖抑制を効率的に行う紫外線照射装置を提供することを目的とする。
【００１２】
また、本発明の別の目的は、熱交換器に紫外線を照射することにより塵埃を除去する等して熱交換器周囲の空気の流体抵抗を抑制できる紫外線照射装置を提供することである。
【００１３】
また、本発明の別の目的は、紫外線ランプの継続使用により発光強度が段階的に低下しても、熱交換器に照射される紫外線強度を一定に保つことができる紫外線照射装置及びこれを用いた熱交換器の清掃方法を提供することである。
【００１４】
また、本発明の別の目的は、空気調和機内に組み込んだ際に熱交換器の流路全体の圧力損失が増加しないように、流路抵抗の小さいフォルムを有した紫外線照射装置を提供することである。
【００１５】
また、本発明の別の目的は、熱交換器の風上側（一次側）でも風下側（二次側）でも設置可能であり、かつ、どちらの側に設置されても熱交換器の流路全体の圧力損失を増加させることの無いフォルムを有した紫外線照射装置を提供することである。
【課題を解決するための手段】
【００１６】
本発明者らは、鋭意検討の末、上述の問題点を見事に解決する装置及び方法を見出し、本発明を完成した。
【００１７】
すなわち本発明は、例えば、以下の構成・特徴を備えるものである。
（態様１）
空気調和機内の熱交換器の表面に紫外線を照射可能な紫外線照射装置であって、
前記紫外線照射装置は前記熱交換器の風向一次側又は風向二次側或いは両側に設置され、
前記紫外線照射装置は、開口部を備えた筐体と、前記筐体内に配置されかつ前記開口部から紫外線を前記熱交換器の前記表面に向けて照射可能な紫外線ランプと、を備え、
前記紫外線ランプは、紫外線照射強度の劣化に応じて、該紫外線ランプと前記熱交換器との距離を縮めるよう移動可能である、
ことを特徴とする紫外線照射装置。
（態様２）
前記紫外線ランプの背面、上面又は下面には反射板がさらに形成される、
ことを特徴とする態様１に記載の紫外線照射装置。
（態様３）
前記背面に形成された前記反射板は、前記紫外線ランプに対して凹凸形状を成す、
ことを特徴とする態様２に記載の紫外線照射装置。
（態様４）
前記開口部を区画する前記筐体の端部側には、流体抵抗低減用のバッフル板がさらに形成され、かつ、前記バッフル板は前記開口部の開口面積を徐々に縮小するように前記開口部の先端に向かって窄まった形状を成す、
ことを特徴とする態様１〜３のいずれかに記載の紫外線照射装置。
（態様５）
前記筐体には、前記開口部が設置された一端と逆の他端に流体抵抗低減用のフェアリングカバーがさらに形成される、
ことを特徴とする態様１〜４のいずれかに記載の紫外線照射装置。
（態様６）
態様１〜５のいずれかに記載の紫外線照射装置を用いて空気調和機内の熱交換器に紫外線を照射して該熱交換器を清掃するための清掃方法であって、
前記紫外線照射装置へ設置する前記紫外線ランプと同型の製品を用いて、前記紫外線ランプの使用時間と、前記熱交換器の表面での照射強度との関係式Ｆ１を導出する工程と、
前記紫外線ランプと前記熱交換器の表面との間の距離と、前記表面での紫外線照射強度との関係式Ｆ２を導出する工程と、
前記関係式Ｆ１，Ｆ２から、前記熱交換器の前記表面での紫外線照射強度を一定に保つため、前記使用時間と、前記紫外線ランプの移動位置との関係式Ｆ３を導出する工程と、
前記熱交換器の一次側又は二次側或いは両側に前記紫外線照射装置を設置し、前記紫外線ランプを、前記関係式Ｆ３で得られた初期位置Ｘ（ｔ＝０）に固定する工程と、
前記紫外線ランプを発光させ、前記熱交換器の前記表面へ紫外線を照射する工程と、
前記紫外線照射装置の前記使用時間が所定時間ｔの経過したときに、この時間ｔに対応した分、前記紫外線ランプを前記熱交換器側に近づくように移動し、前記関係式Ｆ３から得られた前記紫外線ランプの設置位置Ｘ（ｔ）にて移動・固定する工程と、
を含むことを特徴とする清掃方法。
【発明の効果】
【００１８】
本発明の紫外線照射装置は、以上のような構成を有するため、熱交換器へ紫外線照射を施すことにより、院内集団感染の一因ともなる塵埃や雑菌を分解・除去することが可能であり、かつ、熱交換器周りの流路における流体の圧力損失を増加させることなく空気調和機内に組み込み可能である。
【００１９】
本発明の紫外線照射装置は、以上のような構成を有するため、紫外線ランプの継続使用により発光強度が段階的に低下しても、熱交換器の表面に照射される紫外線強度を一定に保つことができる。
【００２０】
また、本発明の紫外線照射装置は、以上のような構成を有するため、熱交換器の風上側でも風下側でも設置可能であり、かつ、どちらの側に設置されても熱交換器の流路全体の圧力損失を増加させることが無い。
【００２１】
また、本発明の紫外線照射装置を用いた熱交換器の清掃方法によれば、装置内で使用される同種の紫外線ランプについて、使用時間と照射強度との関係式Ｆ１（校正曲線）と、ランプ設置位置（移動距離）と照射強度との関係式Ｆ２（校正曲線）と、を求めた上で、使用時間とランプ移動距離との関係式Ｆ３を予め導出しておく。熱交換器の一次側又は二次側に設置された紫外線照射装置を稼働させた後は、予め導出された上記関係式Ｆ３を用いて、定期的に使用時間（照射時間）に応じた分、紫外線ランプと熱交換器との距離を縮めるように紫外線ランプを所定距離だけ移動・固定する。これらの操作を行うことで、紫外線ランプの継続使用により発光強度が段階的に低下しても、熱交換器の表面に照射される紫外線強度を一定に保つことができるのである。
【図面の簡単な説明】
【００２２】
【図１】本発明の空気調和機及びこれを含んだ施設内空調システムを示した概略図である。
【図２】（ａ）紫外線照射装置を一方（前方）から観察した斜視図であり、（ｂ）他方（後方）から観察した斜視図である。
【図３】紫外線ランプを前後方向に移動可能な紫外線照射装置の断面図、バッフル板の拡大断面図、及び、紫外線照射装置と風向との位置関係を説明した図である。
【図４】本発明の清掃方法の各工程を示したフローチャートである。
【図５】紫外線ランプの耐久試験（劣化試験）にて実測された強度データをプロットした後に漸近させた強度劣化曲線を示す。
【図６】一次側設置条件の各モデルの圧力損失を示した数値解析結果（フェアリング角度θｆの影響）である。
【図７】一次側設置条件の各モデルの流れ場（流線）を示した数値解析結果（フェアリング角度θｆの影響）である。
【図８】二次側設置条件の各モデルの圧力損失を示した数値解析結果（フェアリング角度θｆの影響）である。
【図９】一次側設置条件の各モデルの圧力損失を示した数値解析結果（バッフル板の傾斜角θｂの影響）である。
【図１０】二次側設置条件の各モデルの圧力損失を示した数値解析結果（バッフル板の傾斜角θｂの影響）である。
【図１１】二次側設置条件の各モデルの流れ場（流線）を示した数値解析結果（バッフル板の傾斜角θｂの影響）である。
【図１２】異なる形状の反射板を使用した場合の紫外線の照射強度を示した図である。
【図１３】本発明の反射板を採用し、かつ、紫外線ランプの照射位置を徐々に変更した場合の照射強度Ｉを示した図である。
【発明を実施するための形態】
【００２３】
以下、添付の図面を参照しながら下記の具体的な実施形態に基づき本発明の技術的内容を説明するが、本発明はこれらの実施形態に何等限定されるものではない。
【実施例１】
【００２４】
（空気調和機及びこれを含んだ施設内空調システムの概要）
図１に、本発明の空気調和機１及びこれを含んだ施設内空調システム１０の概要を示す。空気調和機１は、ファン２と、紫外線照射装置３を備えた熱交換器４と、を備える。ファン２は、空気調和機１で調整された空気を取り込み、空気調和機１と居住空間５とを接続する往路ダクト６内へ空気を送風する。往路ダクト６内の空気は、居住空間５の天井に通常設置された吹出口５１から居住空間５へ流入し、吸込口５２から復路ダクト７へ送り出される。復路ダクト７は、各居住空間から回収された空気を集めて空気調和機１に戻す。
【００２５】
（熱交換器の構成）
熱交換器４は、冷媒管及びフィンを備えた公知の熱交換器の構成を前提とする。ここで、冷媒管４２ａ，４２ｂは、熱交換器本体４１と、空調熱源機器４３とを接続する。空調熱源機器４３にて温度調整された冷媒は、冷媒管（第１冷媒管）４２ａ内を通過しながら、熱交換器本体４１へと送られ、熱交換器本体４１周りの空気と熱交換（熱の授受）を行い、冷媒管（第２冷媒管）４２ｂ内を通過して再度、空調熱源機器４３に戻される。その際に、冷温水ポンプ４４によって冷媒は加圧される。
【００２６】
（紫外線照射装置の概要）
次に、図２（ａ）及び（ｂ）を参照しながら、本発明のユニークな紫外線照射装置３について詳しく説明する。紫外線照射装置３は、中空立方体状の筐体３１と、鋼板を折り曲げたフェアリングカバー３２とを有する。この筐体３１の一方側（前方側）は、開口部３１ａが設けられいるため解放しているが、他方側（後方側）は、背面板３１ｂが存在するため閉じている。つまり、組付け状態では開口部３１ａが開口し、筐体３１の内部が露見した状態となる。なお、開口部３１ａの周囲に、後述するバッフル板３８を形成してもよい。
【００２７】
（筐体の構造）
筐体３１の開口部３１ａは、４つの板（詳しくは、上板３１ｃ、下板３１ｄ、第１側板３１ｅ、第２側板３１ｆ）によって区画されている。これらの４つの板３１ｃ〜３１ｆは金属製であることが好ましい。なお、第１・第２側板３１ｅ，３１ｆには開口部３１ａから後方に向かって水平に延びたスロット３１ｇが設けられる。なお、図示した左右のスロット３１ｇは、互いに同一の幅と長さを有し、同一の高さ（筐体３１の約半分の高さ）位置に設置されているが、必ずしも図示の構成に限定されない。
【００２８】
（フェアリングカバーと筐体との接続）
フェアリングカバー３２には、両端に水平に延びた縁部３２ａが形成されており、これらの縁部３２ａが、筐体３１の上板３１ｃと下板３１ｄの一部（後方部分）と重なった状態で面接触し、これらの一部に固定されている。これにより、フェアリングカバー３２は筐体３１の後方に一体的に取り付けられる。
【００２９】
また、フェアリングカバー３２は上側傾斜板３２ｂと下側傾斜板３２ｃとを備える。これらの傾斜板３２ｂ，３２ｃは、筐体３１から後方に向かって内部空間の断面積を徐々に小さくするように傾斜しており、筐体３１の半分の高さ位置で、傾斜板３２ｂ，３２ｃの各後端同士が接続してカバー終端線３２ｄを形成する。このように筐体３１の後側に取り付けられたフェアリングカバー３２は、筐体３１周りの流体抵抗を低減するよう作用する。
【００３０】
（紫外線ランプ及びその周辺装置の構造）
筐体３１の内部には、図２（ａ）及び図３（ａ）に示すように、紫外線ランプ３３と、この紫外線ランプ３３を水平に保持可能なランプ保持具３４とが搭載されている。また、ランプ保持具３４の前面や筐体３１の上板３１ｃ、下板３１ｄの内面には、紫外線ランプ３３から出射された紫外線を反射させる反射板３５が設置されていてもよい。以上の構成の紫外線ランプ３３から出射された定格波長（例えば、２５４ｎｍ）を有した紫外線は、直接的に又は反射板３５等に反射・屈折した後に、開口部３１ａを通過して外側に向けて照射される。
【００３１】
（紫外線ランプを前後方向に移動可能にする構造）
ランプ保持具３４には、図２（ａ）及び図３（ａ）に示すように、スロット３１ｇを挿通してさらに外側に延びたスライド棒３６が形成されている。これにより、ランプ保持具３４及びこれに保持された紫外線ランプ３３は前後方向に移動可能となる。この移動を安定かつ容易にするために、前後方向に延びかつランプ保持具３４を摺動可能な支持レール３７を上板３１ｃ、下板３１ｄの内壁側に設けてもよい。
【００３２】
これにより、後述するように、長時間使用により紫外線ランプ３３の発光強度の低下が確認された場合又は低下すると予測された場合に、保守員は、スライド棒３６を把持して前方に移動させることで、紫外線ランプ３３が取り付けられたランプ保持具３４を、前方に所望距離だけ移動させることができる。つまり、紫外線ランプ３３の照射位置が相対的に前方へ移動するため、長時間経過して紫外線ランプ３３自体の発光強度が低下した後でも、より高強度の紫外線を熱交換器４の表面４１ａ（図３（ａ）参照）へ照射し続けることが可能となる。
【実施例２】
【００３３】
（本発明の紫外線照射装置を用いた熱交換器の清掃方法）
以上の構成の紫外線照射装置３を用いて熱交換器４（内の冷温水コイル）を清掃する方法を説明する。図４に、本発明の清掃方法の各工程を示したフローチャートを示す。ここで、紫外線照射装置３の実際の使用に先立ち、紫外線ランプ３３の耐久試験を行い、以下の関係式Ｆ１〜Ｆ３の導出を行うことに留意されたい。
【００３４】
先ず、紫外線照射装置３へ設置する紫外線ランプ３３と同型の製品を用いて、紫外線ランプ３３の使用時間ｔ（発光時間）と、熱交換器４の表面４１ａに相当する基準位置での照射強度Ｉとの関係式Ｆ１を導出する（工程Ｓ１）。つまり、紫外線ランプ３３の使用時間ｔに対応した照射強度Ｉの劣化を予測する。
【００３５】
また、紫外線照射装置３内の紫外線ランプ３３と、熱交換器４の表面４１ａ（被照射面、被清掃面）との間の距離Ｌと、照射強度Ｉとの関係式Ｆ２を導出する（工程Ｓ２）。
【００３６】
上記２つの関係式Ｆ１，Ｆ２から、熱交換器４の表面４１ａでの紫外線の照射強度Ｉを一定に保つため、使用時間ｔと、紫外線ランプ３３の設置位置Ｘ（若しくは移動距離Ｌ）との関係式Ｆ３を導出する（工程Ｓ３）。
【００３７】
熱交換器４の一次側ＳＤ１又は二次側ＳＤ２或いは両側ＳＤ１，ＳＤ２に紫外線照射装置３を設置し、この際に、紫外線照射装置３内の紫外線ランプ３３を、上記関係式Ｆ３で得られた初期位置Ｘ（ｔ＝０）に固定する（工程Ｓ４）。なお、図３（ａ）に示すように、熱交換器４の表面４１ａから距離Ｌｄだけ離し、かつ、垂直に面するように紫外線照射装置３を設置することが好ましい。
【００３８】
その後、紫外線照射装置３に電源をつなぎ、紫外線ランプ３３を発光させ、熱交換器４の表面４１ａへ紫外線を照射する（工程Ｓ５）。熱交換器４を含めた空調設備も同時に稼働させる。
【００３９】
定期的にオペレーターまたは保守員が紫外線照射装置３を監視する等して、次の操作を行う。すなわち、所定時間ｔの経過（使用）に対応した分、紫外線ランプ３３を熱交換器４側に近づくように移動し、上記関係式Ｆ３から得られた紫外線ランプ３３の設置位置Ｘ（ｔ）にて移動・固定する（工程Ｓ６）。なお、上記のように保守員が手動操作で紫外線ランプ３３を移動させることに必ずしも限定されず、紫外線照射装置３に図示しないプログラム及び搬送装置を組み込み、上記移動操作を自動化してもよい。
【００４０】
基本的に、病院等の大型施設内の空調設備は常時稼働しているため、紫外線ランプ３３のフィラメントが切れた場合又はその使用時間ｔが最長許容時間を超えた場合、新品のものと交換する（工程Ｓ７）。
【００４１】
本方法によれば、紫外線ランプ３３を継続使用して紫外線の発光強度が段階的に低下した（低下が予想された）場合でも、紫外線ランプ３３の設置位置Ｘを熱交換器４に所望の距離だけ接近させることができるため、熱交換器４に受光される紫外線強度を一定に保つことができ、熱交換器４上の雑菌の繁殖を抑制することができるのである。
【実施例３】
【００４２】
（紫外線強度の劣化（経時的変化）の検討・予測）
本発明者らは、紫外線照射装置３において、図３（ａ）に示すように、紫外線強度の劣化に応じて、紫外線ランプ３３を、照射方向前方へ（すなわち、熱交換器４の表面４１ａにより近接して）移動可能な構成とした。
【００４３】
しかしながら、紫外線ランプ３３をどの程度の時間だけ使用（点灯）したら、該ランプ３３をどの程度前方に移動したら良いか不明であった。つまり、上述の工程Ｓ１〜Ｓ３の関係式Ｆ１〜Ｆ３を導出する必要があった。そこで、本発明者らは、先ず、紫外線ランプ３３の紫外線強度の経時的変化を実測することにした。この際に、紫外線ランプ３３を複数本利用して繰り返し同様の劣化試験を行った。
【００４４】
図５に、紫外線ランプ３３の耐久試験（劣化試験）にて実測された強度データをプロットした後に漸近させた強度劣化曲線を示す。具体的には、点灯時間が１，０００時間になると紫外線強度は約８８％に、３，０００時間になると紫外線強度は約６４％に、５，０００時間になると紫外線強度は約４０％にまで低下することが判った。
【００４５】
このように紫外線照射装置３に載置する紫外線ランプ３３と同種のランプを用いて、紫外線強度の劣化曲線（経時的変化、言い換えれば、上記の関係式Ｆ１〜Ｆ３）を事前に把握することが好ましい。この事前に予測された劣化状況に応じた分だけ、筐体３１内の紫外線ランプ３３をより前方に移動させることで、強度は劣化するものの熱交換器４の表面４１ａにはより多くの紫外線を照射することできる。つまり、長時間使用したとしても常に高強度の紫外線ランプ３３を熱交換器４の表面４１ａに照射して塵芥や雑菌の除去を行うことができるようになる。
【実施例４】
【００４６】
（フェアリング角度の検討）
また、空気調和機１（例えば、病院等で使用されるエアハンドリングユニット）の内部では、その熱交換器４周りの気体の流速は、通常、３〜５ｍ／ｓと極めて大きい。そのため、この熱交換器４の近くに紫外線照射装置３を設置することによって、気体流路における圧力損失が急激に増大してしまう可能性がある。
【００４７】
そこで、流体解析により、フェアリングカバー３２の外形（フェアリング角度θｆ）が圧力損失に及ぼす影響を検討した。
【００４８】
図３（ａ）に示すように、フェアリングカバー３２の断面は底辺の無い三角形を成すが、底辺に延びる二辺（傾斜板３２ｂ，３２ｃ）と、この二辺が接続する頂点（カバー終端線３２ｄ）と、で形成されるフェアリング角度θｆが鈍角から鋭角になるように変化させてみた。具体的には、θｆを１５０°、１２０°、９０°、４５°に設定した場合の数値解析モデルを構築し、その圧力損失の算出及び流れ場の可視化を行った。加えて、θｆ＝０°、つまり、フェアリングカバー３２を設けない数値解析モデルも構築し、同様の解析を行った。
【００４９】
風向きとして、気流が最初にフェアリングカバー３２にぶつかる方向（紫外線照射装置３を「一次側」に設置した場合とも呼ぶ。図１や図３（ｃ）の符号ＳＤ１を参照）と、気流が最初に開口部にぶつかる方向（紫外線照射装置３を「二次側」に設置した場合とも呼ぶ。図１や図３（ｃ）の符号ＳＤ２を参照）と、を想定した。なお、流速は１〜５ｍ／ｓまで検討することとした。
【００５０】
（一次側設置の場合の圧力損失）
図６は、一次側設置条件の各モデルでの圧力損失（数値解析結果）を示したグラフである。フェアリング角度θｆが小さくなるにつれて、圧力損失が大幅に抑制されることが判る。具体的には、流速を５ｍ／ｓとし、フェアリングカバー３２の無いθｆ＝０の場合の圧力損失を１（１００％）とすると、θｆ＝１５０°になると圧力損失は約９１％に、θｆ＝１２０°になると圧力損失は約７４％に、θｆ＝９０°になると圧力損失は約４５％に、θｆ＝４５°になると圧力損失は約３３％にまで低下することが判った。
【００５１】
このことから、θｆ≦１２０°であって、θｆが小さければ小さい程、良いことになるが、θｆが極めて小さくなれば、フェアリングカバー３２の流路方向長さ（ひいては、紫外線照射装置３の全長）が極めて長くなり、空気調和機１内の限られた空間に紫外線照射装置３を設置できなくなる。従って、θｆは、４５°≦θｆ≦１２０°が好ましく、６０°≦θｆ≦９０°がさらに好ましい。
【００５２】
（一次側設置の場合の流線）
また、図７（ａ）〜（ｅ）に、異なるフェアリング角度θｆを持つ各モデル（風向き：一次側設置）で導出された流線を示す。フェアリングカバー３２が無い場合やフェアリング角度θｆが鈍角である場合（θｆ＝１５０°，θｆ＝１２０°）は、筐体３１の後流や筐体３１の上板３１ｃ、下板３１ｄの外側に渦流が生じている（図７（ａ）〜（ｃ）参照）。この渦流は圧力損失の増大の一因となり得る。一方、フェアリング角度θｆが鋭角である場合（θｆ＝９０°，θｆ＝４５°）は、上述のような渦流は発生せず、円滑な流れを示した（図７（ｄ）及び（ｅ）参照）。
【００５３】
（二次側設置の場合の圧力損失）
図８は、二次側設置条件の各モデルでの圧力損失（数値解析結果）を示したグラフである。この図から、二次側設置の場合、フェアリング角度θｆを変更しても圧力損失の結果に大差が無く、フェアリングカバー３２の追設効果がほとんど得られ無いことが判った。
【実施例５】
【００５４】
（バッフル板の追加設置）
また、上述のフェアリングカバー３２が取り付けられる筐体３１の端部（つまり、背面板３１ｂ）とは反対の端部（つまり、開口部３１ａ側）に、後述のバッフル板３８を設けてもよい。バッフル板３８は、例えば、図２（ａ）及び図３（ａ）に示すように、筐体３１（開口部３１ａを区画する上板３１ｃ、下板３１ｄ）の先端部分を内側に向くように傾斜させることにより形成される。図３（ｂ）に示す例では、上下のバッフル板３８のそれぞれの傾斜角θｂは４５°であり、上記先端部分で開口部３１ａが若干窄まった構成となっている。
【００５５】
（バッフル板を設けた解析モデル）
バッフル板３８の追設効果を予測するために以下の数値解析を行った。この解析に用いたモデルは、内部空間が閉じた筐体３１（モデル１）、開口部３１ａを有した筐体３１（モデル１−２）、傾斜角θｂ＝４５°に設定したバッフル板３８を設置した筐体３１（モデル１−３、図３（ｂ）も参照）、傾斜角θｂ＝−４５°に設定したバッフル板３８を設置した筐体３１（モデル１−４）である。なお、風向きとして、紫外線照射装置３を一次側ＳＤ１に設置した場合と、二次側ＳＤ２に設置した場合との双方の場合も計算した。なお、流速は１〜５ｍ／ｓまで検討することとした。
【００５６】
（一次側設置の場合の圧力損失）
図９に、一次側ＳＤ１に上記モデルを設置した場合の圧力損失の結果を示す。この解析結果から、バッフル板３８の付いたモデル１−３及びモデル１−４での圧力損失が、バッフル板無しのモデル１やモデル１−２の場合より、７％程度、抑制されることが予測された。
【００５７】
（二次側設置の場合の圧力損失）
図１０（ａ）に、二次側ＳＤ２に上記モデルを設置した場合の圧力損失の結果を示す。この解析結果から、バッフル板を内向きに付けたモデル１−３の圧力損失が、バッフル板無しのモデル１に対して２０％程度、抑制されることが観察された。一方、バッフル板３８を外向きに付けたモデル１−４の圧力損失が、モデル１に対して５０％程度も増大することが観察された。
【００５８】
以上から、一次側ＳＤ１及び二次側ＳＤ２のいずれの側に設置しても流体抵抗の面で優れた形状は、バッフル板３８を内向きに付けたモデル１−３であることが判った。
【００５９】
（バッフル板及びフェアリングカバーの両方が付いたモデルを二次側に設置）
なお、上述のモデル１−３にさらにフェアリングカバー３２を追加したモデルも構築・解析した。図１０（ｂ）は圧力損失の結果を示し、図１１は、各モデルでの流線（５ｍ／ｓの場合）を示す。
【００６０】
図１０（ｂ）により、二次側に設置したモデル１−３にフェアリングカバー３２を追加しても追加しなくても、その圧力損失特性に左程影響を与えないことが判った。また、図１１より、二次側に設置したモデル１−３にフェアリングカバー３２を追加しない条件と追加した条件では、流れ場の挙動は左程変わらないことが判った。一方、バッフル板無しのモデルや外向きバッフル板３８付のモデルでは、筐体３１の上下側に渦流の発生が観察され、これらの渦流が上述の圧力損失の増大に寄与していることと考えられる。
【実施例６】
【００６１】
（反射板の形状の検討）
次に、本発明の紫外線照射装置３において、紫外線により効果的な照射を促す反射板３５の形状を検討することにした。
【００６２】
図１２（ｆ）の凡例に、評価対象とした各反射板３５の断面形状Ａ〜Ｅを示す。具体的には、紫外線ランプ３３の裏側に垂直に立設させたもの（平形状Ａ）、高さ方向中央に向かって該ランプに近づくように曲折したもの（山形状Ｂ）、山形状とは反対に高さ方向中央に向かって該ランプに離れるように曲折したもの（谷形状Ｃ）、上述の山形状と谷形状とを組み合わせたもの（凹凸形状Ｄ）と、この凹凸形状の反射板に加え、紫外線ランプ３３の上下にも反射板を設置したもの（上下屋根付き凹凸形状Ｅ、図３（ａ）に示す反射板３５の形状も参照）を用意した。
【００６３】
図１２（ａ）〜（ｅ）は、夫々、筐体３１内に各形状の反射板３５を設け、かつ、開口部３１ａからスライド棒３６をＬ＝９０ｍｍだけ離して配置された紫外線ランプ３３によって紫外線を照射した場合の照射強度を示す。これらの図を比較すると、凹凸形状Ｄ及び上下屋根付き凹凸形状Ｅを成す反射板３５を用いると、他の形状の場合に比べ、１．０や０．９といった高強度の紫外線が照射面中央の広い範囲に照射されることが観察された。なお、本実施例では紫外線ランプ３３を動かすためのスライド棒３６の移動距離をＬとして表示したが、必ずしも限定されず、紫外線ランプ３３を基点とした移動距離をＬに使用してもよい。
【００６４】
図１２（ｆ）は、各条件の照射強度の４０％強度のみを抽出し、これを一つのグラフに表示・比較したものである。この図から、上下屋根付き凹凸形状Ｅを成す反射板３５を用いた場合が最も広範囲に照射されることが判った（特に左右方向にてこの傾向が顕著である）。
【００６５】
次に、上下屋根付き凹凸形状Ｅを成す反射板３５を採用し、かつ、紫外線ランプ３３の照射位置Ｘを徐々に変更した場合の照射強度Ｉの結果を示す。図１３（ａ）は、開口部に最も近い位置（Ｌ＝１０ｍｍ、図３（ａ）に示すＬ’も参照）に置かれた場合であるが、熱交換器表面４１ａに最も近接しているため、照射強度Ｉが最も高くなる。その他の位置（Ｌ＝４０ｍｍ，Ｌ＝９０ｍｍ，Ｌ＝１２０ｍｍ）に置かれた図１３（ｂ）〜（ｄ）のグラフも、このＬ＝１０ｍｍの照射強度と同じ強度コンター（等高線）を使用して表示している。
【００６６】
これら各位置Ｌでの強度コンターの積分値を導出すれば、照射位置Ｘ（移動距離Ｌ）と照射強度Ｉとの関係式Ｆ２を導出することができる。また、図５は、照射時間ｔの経過に対応した照射強度Ｉの劣化を示した結果である。これにより、経過時間ｔと照射強度Ｉとの関係式Ｆ１を得ることができる。
【００６７】
上記２つの関係式Ｆ１，Ｆ２を組み合わせることにより、経過時間（ランプ使用時間）ｔの照射強度Ｉの劣化に対応して前方へ移動すべき紫外線ランプの照射位置Ｘ（ｔ）を得ることができる。なお、以下の表１は、紫外線点灯時間（使用時間）ｔと、照射強度（出力比）Ｉと、ランプ移動距離Ｌと、の関係を示す。
【００６８】
【表１】
0006656785.tif 000002
【産業上の利用可能性】
【００６９】
本発明の紫外線照射装置は、以上のような構成を有するため、熱交換器へ紫外線照射を施すことにより、院内集団感染の一因ともなる塵埃や雑菌を分解・除去することが可能であり、かつ、熱交換器周りの流路における流体の圧力損失を増加させることなく空気調和機内に組み込み可能である。
【００７０】
このように、本発明の紫外線照射装置及びこれを用いた熱交換器の清掃方法は、産業上の利用可能性及び利用価値が非常に高い。
【符号の説明】
【００７１】
１    空気調和機
２    ファン
３    紫外線照射装置
４    熱交換器
５    居住空間
６，７    往路ダクト，復路ダクト
１０    施設内空調システム
３１    筐体
３１ａ，３１ｂ，３１ｃ，３１ｄ    開口部，背面板，上板，下板
３１ｅ，３１ｆ，３１ｇ    第１側板，第２側板，スロット
３２    フェアリングカバー
３２ａ，３２ｂ，３２ｃ，３２ｄ    縁部，上側傾斜板，下側傾斜板，カバー終端線
３３    紫外線ランプ
３４    ランプ保持具
３５    反射板
３６    スライド棒
３７    支持レール
３８    バッフル板
４１，４１ａ    熱交換器本体，表面
４２ａ，４２ｂ    第１冷媒管，第２冷媒管
４３    空調熱源機器
４４    冷温水ポンプ
５１，５２    居住空間に設置された吹出口，吸込口
Ａ，Ｂ，Ｃ，Ｄ，Ｅ    反射板の断面形状
Ｌ，Ｌ’    紫外線ランプ（又はこれを動かすスライド棒）の移動距離
Ｌｄ    熱交換器の表面から紫外線照射装置までの距離
Ｉ    紫外線ランプの照射強度
Ｓ１，Ｓ２，Ｓ３，Ｓ４，Ｓ５，Ｓ６，Ｓ７    本発明の清掃方法を構成する各工程
ＳＤ１，ＳＤ２    風向き一次側，二次側
ｔ    紫外線ランプの発光時間（使用時間）
Ｘ    紫外線ランプの設置位置
θｂ，θｆ    バッフル板の傾斜角、フェアリング角度
【要約】
【課題】空気調和機内の熱交換器に紫外線を照射することにより、塵埃の除去及び雑菌の繁殖抑制を効率的に行う紫外線照射装置を提供する。
【解決手段】紫外線照射装置３は、熱交換器の一次側又は二次側或いは両側に設置され、かつ、開口部３１ａを備えた筐体３１と、筐体３１内に配置されかつ開口部３１ａから紫外線を照射可能な紫外線ランプ３３とを備える。紫外線ランプ３３は、紫外線照射強度の劣化に応じて、該ランプ３３と熱交換器との距離を縮めるよう移動可能である。紫外線ランプ３３の背面、上面又は下面には反射板がさらに形成されることが好ましい。開口部３１ａを区画する筐体３１の端部側には、流体抵抗低減用のバッフル板３８がさらに形成されることが好ましい。筐体３１には、開口部３１ａが設置された一端と逆の他端に流体抵抗低減用のフェアリングカバー３２がさらに形成されることが好ましい。
【選択図】図２【図１】
0006656785.tif 000003
【図２】
0006656785.tif 000004
【図３】
0006656785.tif 000005
【図４】
0006656785.tif 000006
【図５】
0006656785.tif 000007
【図６】
0006656785.tif 000008
【図７】
0006656785.tif 000009
【図８】
0006656785.tif 000010
【図９】
0006656785.tif 000011
【図１０】
0006656785.tif 000012
【図１１】
0006656785.tif 000013
【図１２】
0006656785.tif 000014
【図１３】
0006656785.tif 000015